(57)【要約】      （修正有）【課題】熱源とゼーベック素子が一体と成ったコンパクトで効率の良い発電装置を提供する。【解決手段】太陽光集熱真空ガラス二重管ヒートパイプ式ゼーベック素子発電装置は、真空ガラス二重管１の上に出ているヒートパイプ４の放熱部が、銅やアルミニュウム等の金属又は樹脂で出来ている、穴開けされた板に差し込まれて密着若しくは板の下面に接触している。更に、板の上面に、ゼーベック素子６を接着して一体化している。【選択図】図１
2016063206.tif 000002
【特許請求の範囲】
【請求項１】
太陽光集熱真空ガラス二重管に内蔵されたヒートパイプ於いて、ヒートパイプ放熱部がゼーベック素子と一体となった発電装置。
【請求項２】
請求項１の発電装置に、ゼーベック素子の吸熱側に、吸熱の為のヒートパイプを取り付けた装置。
【請求項３】
請求項２の装置に水流冷却装置を取り付けた装置
【発明の詳細な説明】
【発明の詳細な説明】
【技術分野】
【０００１】    本発明は、太陽光集熱真空ガラス二重管ヒートパイプ式ゼーベック素子発電に関する。
【背景技術】
【０００２】    従来、温度差で発電するゼーベック素子発電は、熱源として、温泉や工場排熱水や地熱水等が使用されてきた。
【発明が解決しようとする課題】
【０００３】    しかしながら、上記の熱源を利用してのゼーベック素子発電においては、必要とする熱源の量や高温度を確保する為に、設置の場所が限定されてしまっていた。
【０００４】    さらに、熱源からゼーベック素子へ熱を供給する為に、広い場所と大がかりな設備が必要となり、設備のコストや工期が増大した。
【問題を解決するための手段】
【０００５】    上記課題を解決する為に、少なくとも１本以上のヒートパイプが内蔵された、太陽光集熱真空ガラス二重管において、真空ガラス二重管の上に出ている、ヒートパイプの放熱部が、熱伝導性の良い銅やアルミニュウム等の金属や樹脂等で出来ている、穴あけされた板に差し込まれて、密着されている。若しくは、板の下面に接触している。更に、板の上面に、ゼーベック素子が密着されている発電装置を提供する。
【発明の効果】
【０００６】    本発明の太陽光集熱真空ガラス二重管ヒートパイプ式ゼーベック素子発電装置は、基本的に、太陽光を使用するので、温泉や工場排熱等の様に、設置場所を限定されず、太陽光の得られる場所で有れば、何所でも設置可能である。
【０００７】    更に、此の装置は、熱伝導にヒートパイプを使用している為、１００℃以上の温度を得ることが出来、非常に効率が良いのである。
【０００８】    又、熱をゼーベック素子に直接、簡単に供給する事が出来る事で、従来の方法に比べて、大がかりな場所と設備が必要としない為、設備費や工事期間が大幅に抑えられ、更に２台以上連結することで大きな電力を得る事が可能で有る。以上のように、本発明は有効な効果を有し、産業上の利用価値は、極めて高いのである。
【発明の実施形態】
【０００９】    以下、本発明を図面に基づいて詳細に説明する。
図１は、本発明の正面図である。図２は、図１の断面図。図３は、本発明の実施形態に係る代表的な例である正面図。図４は、図３のＡ部側面図。図５は、図３のＡ部平面図。図６は、請求項２の正面図。図７は、図６のＢ部側面図、図８は、図６のＡ−Ａの断面図。図９は、請求項３の正面図。図１０は、図９のＣ部側面図
【００１０】    この太陽光集熱真空ガラス二重管ヒートパイプ式ゼーベック素子発電装置は、図１に示す様に、真空ガラス二重管１、蓋３、ヒートパイプ４、放熱銅板５、ゼーベック素子６、電源線７、等の主要部品で構成されている。
【００１１】    図２において、真空ガラス二重管１は、内部が真空２になっている。又、真空ガラス二重管１の中心に、ヒートパイプ４が挿入されていて、外気と絶縁する蓋３より上に、放熱部分が出ている。更に放熱部は、放熱銅板５に開けられた穴に密着するように差し込まれている。そして銅板の上面には、ゼーベック素子６が装着されて、一体化された発電装置となっている。
【００１２】    図３において、本発明の好適な使用例を説明する。太陽光のあたる場所に於いて、本発明を太陽光の日射角度に対して、任意の角度になる様に真空ガラス二重管１を設置する事により、真空ガラス二重管１の内部が高温となる。その温度はヒートパイプ４により瞬時に上部の放熱部と移動して、放熱銅板５に伝えられ熱っせられる。熱っせられた高温度の熱は、放熱銅板５に装着されているゼーベック素子６に伝わる。又、ゼーベック素子６の反対の面には、熱を吸熱させる為の吸熱銅板８と其の吸熱された熱を放熱させる為の、放熱フィン９とファン１０で構成されていおり、ゼーベック素子６の熱を効率よく冷却する。放熱銅版５とゼーベック素子６と吸熱銅版８は、ボルト１１とナット１２によって一体化されていてる。此の事により、ゼーベック素子６の放熱面と吸熱面に大きな温度差が生じて、発電力を生じ、電源線７を通して、電気器具に供給されるのである。更に、より多く発電する為に、ヒートパイプ４の本数を増やしたり、放熱フィン９やファン１０の代わりに、吸熱銅板８に冷却水を循環して冷却させることで、更に、多くの発電力が得られる。この様に、本発明は、従来の温泉や工場排熱水等を利用した、ゼーベック素子発電に比べて、施工場所を選ばず、且つ、大がかりな設備を必要とせず、工事期間も短くて済むのである。又、本発明を２台以上連結することで、大規模発電が、可能となるのである。
【００１３】    図６は，請求項２の図面で有る。図１で、ゼーベック素子６の吸熱面に、吸熱銅板Ａ  １３が接着されていて、吸熱銅板Ａ  １３に開けられた、１個以上の穴に、１本以上のヒートパイプＡ  １４が差し込まれて密着されており、片端若しくは、両端が上方に折り曲げられている。又、ボルトＡ  １５とナットＡ  １６とで、放熱銅板５と吸熱銅板Ａ  １３及びゼーベック素子６が一体化しているが、接着剤や粘着シートで接着する事も可能である。此の様に、吸熱銅板Ａ  １３に、ヒートパイプＡ  １４を組み込むことで、ヒートパイプの熱伝導率の良さから、素早く熱をヒートパイプＡ  １４の放熱部に移動させて冷却する事で、ゼーベック素子６の放熱面と吸熱面の間に、大きな温度差が得られ、発電力が増すのである。
【００１４】    図９は、請求項３の図で、請求項２の図６の図面に於いて、ヒートパイプＡ  １４を冷却する為に、流水管１７とそれに接続された、流入口１８と流出口１９より成る冷却装置で、流入口１８より冷却水を入れ、流水管１７の中に差し込まれたヒートパイプＡ  １４の放熱部を冷却して、流出口１９より流れ出ることで、効率よく温度差が得られる用にした装置で有り、更に２台以上連結することで、多くの電力を得ることが、出来るのである。
【図面の簡単な説明】
【００１５】
【図１】本発明の実施形態に係る、太陽光集熱真空ガラス二重管ヒートパイプ式ゼーベック素子発電装置の構成部材を示す請求項１の正面図である。
【図２】図１の断面図
【図３】図１の使用例図
【図４】図３のＡ部側面図
【図５】図４のＡ部平面図
【図６】請求項２の正面図
【図７】図６のＢ部側面図
【図８】図６のＡ−Ａ断面図
【図９】図６の使用例図
【図１０】図９のＣ部側面図
【符号の説明】１，真空ガラス二重管
２，真空
３，蓋
４，ヒートパイプ
５，放熱銅版
６，ゼーベック素子
７，電源線
８，吸熱銅版
９，放熱フィン
１０，ファン
１１，ボルト
１２，ナット
１３，吸熱銅版Ａ
１４，ヒートパイプＡ
１５，ボルトＡ
１６，ナットＡ
１７，流水管
１８，接続口
【図１】
2016063206.tif 000003
【図２】
2016063206.tif 000004
【図３】
2016063206.tif 000005
【図４】
2016063206.tif 000006
【図５】
2016063206.tif 000007
【図６】
2016063206.tif 000008
【図７】
2016063206.tif 000009
【図８】
2016063206.tif 000010
【図９】
2016063206.tif 000011
【図１０】
2016063206.tif 000012